(57)【要約】【課題】簡素な構造で、使い勝手の良い包装袋を提供する。【解決手段】包装袋１０は、フィルムの一部に熱接着が設けられることによって、接着部２１に囲われた収容部Ｓが形成され、収容部Ｓに収容物６０が収容される包装袋本体２０と、開封されることによって、収容部Ｓに収容された収容物６０を出し入れするための出入口となる開口部３０と、開口部３０の先に形成され、開口部３０を開封するユーザーが摘む部分として構成される一対のひれ片部４０、４１と、ひれ片部４０に設けられ、ひれ片部４０を折り畳んで、包装袋本体２０に貼り付けることで、開封された開口部３０を閉じる貼付シール部５０と、を有する。【選択図】図９
2014205498.tif 000002
【特許請求の範囲】
【請求項１】
フィルムの一部が接着されることによって、接着部に囲われて密閉された収容部が形成され、前記収容部に収容物が収容される包装袋本体と、
開封されることによって、前記収容部に収容された前記収容物を出し入れするための出入口となる開口部と、
前記開口部の先に形成され、前記開口部を開封するユーザーが摘む部分として構成される一対のひれ片部と、
一対の前記ひれ片部のいずれかに設けられ、前記ひれ片部を折り畳んで、前記包装袋本体に貼り付けることで、開封された前記開口部を閉じる貼付シール部と、
を有することを特徴とする包装袋。
【請求項２】
前記接着部は、
前記開口部を閉じるために設けられた開口側接着部と、
前記開口側接着部とともに、前記収容部を密閉する側方側接着部と、
を有し、
前記側方側接着部の端部は、前記開口側接着部よりも、前記開口部が開口する方向外側に突出していることを特徴とする請求項１に記載の包装袋。
【請求項３】
前記開口側接着部の接着性は、前記側方側接着部の接着性よりも弱いことを特徴とする請求項２に記載の包装袋。
【請求項４】
前記フィルムは、ＯＰＰ（Oriented Polypropylene）から構成され、
前記接着部は、前記フィルムに感熱性の接着剤が塗布されることで熱接着されるパートコートであることを特徴とする請求項１乃至３のいずれか一項に記載の包装袋。
【請求項５】
前記貼付シール部が設けられた一方の前記ひれ片部は、他方の前記ひれ片部よりも突出していることを特徴とする請求項１乃至４のいずれか一項に記載の包装袋。
【請求項６】
前記包装袋本体は、矩形状に形成され、
前記開口部が、前記包装袋本体の表面に形成されている合掌袋であることを特徴とする請求項１乃至５のいずれか一項に記載の包装袋。
【請求項７】
前記包装袋本体は、矩形状に形成され、
前記開口部が、前記包装袋本体の縁近傍に形成されている三方袋又は四方袋であることを特徴とする請求項１乃至５のいずれか一項に記載の包装袋。
【発明の詳細な説明】
【技術分野】
【０００１】
本発明は、包装袋に関する。
【背景技術】
【０００２】
あられやせんべい、スナック菓子等が収容される袋には、一般に、防湿効果の高いＯＰＰ（延伸ポリプロピレン、Oriented Polypropylene）から構成される包装袋が用いられる。ユーザーは、包装袋の一部を開封して、包装袋から収容物を取り出して、収容物を消費する。しかしながら、包装袋に収容物の一部が残ることがある。この場合、例えば、輪ゴム、クリップ等によって開口部を閉じる所作が必要となる。このため、ユーザーは、輪ゴム等を別途用意しなければならなかった。
【０００３】
この問題に対して、特許文献１には、再封するためのテープ式包装袋（発明の名称：ジッパー（登録商標）付包装袋）が、開示されている。また、特許文献２には、開口部から離間した位置に形成された折り目に沿って、包装袋の開口部側の上端部が折り曲げられて、包装袋の表面に感圧粘着剤層が貼り付けられることによって再封する包装袋が、開示されている。特許文献１及び２に記載の包装袋では、ユーザーが、輪ゴム等を別途用意する必要がなく、包装袋を再封することができる。
【先行技術文献】
【特許文献】
【０００４】
【特許文献１】特開２００６−２６４７４６号公報
【特許文献２】特開２０１１−２４６１４３号公報
【発明の概要】
【発明が解決しようとする課題】
【０００５】
特許文献１に記載された包装袋は、菓子等の安価な収容物に用いるものとしては、構造が複雑であり、製造コストも高くなるおそれがある。
また、特許文献２に記載された包装袋では、再封された場合、開口部は外部に露出されたままである。
【０００６】
本発明は、上述の事情の下になされたもので、簡素な構造で、使い勝手の良い包装袋を提供することを目的とする。
【課題を解決するための手段】
【０００７】
上述の目的を達成するために、本発明に係る包装袋は、
フィルムの一部が接着されることによって、接着部に囲われて密閉された収容部が形成され、前記収容部に収容物が収容される包装袋本体と、
開封されることによって、前記収容部に収容された前記収容物を出し入れするための出入口となる開口部と、
前記開口部の先に形成され、前記開口部を開封するユーザーが摘む部分として構成される一対のひれ片部と、
一対の前記ひれ片部のいずれかに設けられ、前記ひれ片部を折り畳んで、前記包装袋本体に貼り付けることで、開封された前記開口部を閉じる貼付シール部と、
を有することを特徴とする。
【０００８】
前記接着部は、
前記開口部を閉じるために設けられた開口側接着部と、
前記開口側接着部とともに、前記収容部を密閉する側方側接着部と、
を有し、
前記側方側接着部の端部は、前記開口側接着部よりも、前記開口部が開口する方向外側に突出していてもよい。
【０００９】
前記開口側接着部の接着性は、前記側方側接着部の接着性よりも弱くてもよい。
【００１０】
前記フィルムは、ＯＰＰ（Oriented Polypropylene）から構成され、
前記接着部は、前記フィルムに感熱性の接着剤が塗布されることで熱接着されるパートコートであってもよい。
【００１１】
前記貼付シール部が設けられた一方の前記ひれ片部は、他方の前記ひれ片部よりも突出していてもよい。
【００１２】
前記包装袋本体は、矩形状に形成され、
前記開口部が、前記包装袋本体の表面に形成されている合掌袋であってもよい。
【００１３】
前記包装袋本体は、矩形状に形成され、
前記開口部が、前記包装袋本体の縁近傍に形成されている三方袋又は四方袋であってもよい。
【発明の効果】
【００１４】
本発明によれば、簡素な構造で、使い勝手の良い包装袋を提供できる。
【図面の簡単な説明】
【００１５】
【図１】本発明の第１実施形態に係る包装袋の斜視図である。
【図２】包装袋の平面図である。
【図３】包装袋の断面図である。
【図４】開口部が開封された包装袋の斜視図である。
【図５】包装袋を構成するフィルムの平面図である。
【図６】包装袋の製造工程を説明するための斜視図である。
【図７】包装袋の使用状態を説明するための斜視図である。
【図８】包装袋の使用方法を説明するための斜視図（その１）である。
【図９】包装袋の使用方法を説明するための斜視図（その２）である。
【図１０】包装袋の使用方法を説明するための斜視図（その３）である。
【図１１】包装袋の使用方法を説明するための斜視図（その４）である。
【図１２】本発明の第２実施形態に係る包装袋の斜視図である。
【図１３】第２実施形態に係る包装袋の使用状態を説明するための斜視図である。
【図１４】第２実施形態に係る包装袋の使用方法を説明するための斜視図である。
【発明を実施するための形態】
【００１６】
《第１実施形態》
以下、本発明の第１実施形態に係る包装袋１０について図１〜図１１を用いて説明する。なお、理解を容易にするために、ＸＹＺ座標を設定し、適宜参照する。
【００１７】
本実施形態に係る包装袋１０は、図１〜図３に示すように、合掌貼りタイプの包装袋（合掌袋）である。包装袋１０は、包装袋本体２０と、開口部３０と、一対のひれ片部４０、４１と、貼付シール部５０とを有する。
【００１８】
包装袋本体２０は、Ｘ方向を長手方向とする略矩形に形成されている。包装袋本体２０は、例えば、ＯＰＰ（Oriented Polypropylene）からなる。この包装袋本体２０には、密閉された収容部Ｓが形成されている。収容部Ｓは、接着部２１に囲われることで形成されている。収容部Ｓは、あられやせんべい、スナック菓子等を収容するために用いられる。
【００１９】
接着部２１は、開口側接着部２２と側方側接着部２３、２４とを有する。接着部２１は、例えば、感熱性の接着剤が塗布されることで熱接着されるパートコートである。
【００２０】
開口側接着部２２は、Ｘ軸方向に沿って形成されている。開口側接着部２２は、開口部３０を閉じるために設けられている。なお、開口側接着部２２は、その接着性が、側方側接着部２３、２４の接着性よりも弱くなるように形成されている。
【００２１】
側方側接着部２３、２４は、開口側接着部２２とともに、収容部Ｓを密閉するために用いられる。側方側接着部２３は、第１部分２３ｂ、第２部分２３ｃ、及び第３部分２３ｄを有し、包装袋本体２０の＋Ｘ側の縁に沿って形成されている。また、側方側接着部２４は、第１部分２４ｂ、第２部分２４ｃ、及び第３部分２４ｄを有し、包装袋本体２０の−Ｘ側の縁に沿って形成されている。側方側接着部２３、２４の＋Ｚ側の端部２３ａ、２４ａ（詳しくは、第１部分２３ｂ、２４ｂの＋Ｚ側の端部２３ａ、２４ａ）は、開口側接着部２２よりも、開口部３０の開口する＋Ｚ方向外側に突出している。
【００２２】
開口部３０は、図４に示すように、開封されることによって、収容部Ｓに収容された収容物を、ユーザーが出し入れするための出入口となる。開口部３０は、包装袋本体２０の＋Ｚ側の表面２５に形成されている。
【００２３】
ひれ片部４０、４１は、図１に示すように、開口部３０から、＋Ｚ側に突出して形成されている。ひれ片部４０、４１は、開口部３０を開封するユーザーが摘む部分として構成される。ひれ片部４０は、ひれ片部４１よりも突出して形成されている。なお、ひれ片部４０、４１は、例えば、ＯＰＰ（Oriented Polypropylene）からなり、包装袋本体２０と一体に形成されている。
【００２４】
貼付シール部５０は、ひれ片部４１が折り畳まれて、包装袋本体２０に貼り付けることで、開封された開口部３０を閉じるために用いられる。貼付シール部５０は、ひれ片部４０の＋Ｚ側の端部近傍の−Ｙ側の面に取り付けられている。貼付シール部５０は、粘着性を有する貼付シール部本体と、貼付シール部本体を覆う離型紙とを有する。
【００２５】
図５は、包装袋１０を構成するフィルム１１の平面図である。包装袋１０は、図５に示す１枚のフィルム１１を折り曲げることで形成される。フィルム１１は、第１部分１１Ａ、第２部分１１Ｂ、第３部分１１Ｃ、第４部分１１Ｄ、及び第５部分１１Ｅから構成されている。図１、図５、及び図６を参照すると分かるように、第１部分１１Ａは、包装袋１０への形成後に、ひれ片部４０になる。第２部分１１Ｂ及び第４部分１１Ｄは、包装袋１０への形成後に、包装袋本体２０の表面２５になる。第３部分１１Ｃは、包装袋１０への形成後に、包装袋本体２０の表面２５とは反対側の表面（−Ｚ側の表面）になる。第５部分１１Ｅは、包装袋１０への形成後に、ひれ片部４１になる。
【００２６】
また、フィルム１１には、図５に示すように、略矩形状にパートコート印刷部が設けられている。パートコート印刷部は、図１、図５、及び図６を参照するとわかるように、開口側接着部２２になる開口側パートコート印刷部１２、１３と、側方側接着部２３（収容口側接着部）になる側方側パートコート印刷部１４と、側方側接着部２４になる側方側パートコート印刷部１５とを有する。側方側パートコート印刷部１４、１５の＋Ｙ側の端部１４ａ、１５ａは、開口側パートコート印刷部１２よりも、＋Ｙ方向に突出して形成されている。側方側パートコート印刷部１４、１５の端部１４ｂ、１５ｂ（−Ｙ側の端部）は、開口側パートコート印刷部１３よりも、−Ｙ方向に突出して形成されている。また、フィルム１１の＋Ｙ側の端部近傍の−Ｚ側の面には、貼付シール部５０が取り付けられている。
【００２７】
次に、上述のように構成された包装袋１０の形成方法を説明する。先ず、包装袋１０を形成する作業者は、フィルム１１を、Ｘ軸方向に平行な折り曲げ線Ａ１〜Ａ４（図５参照）に沿って、図６に示すように、折り曲げる。続いて、開口側パートコート印刷部１２と、開口側パートコート印刷部１３とを熱接着させる。続いて、側方側パートコート印刷部１５同士を熱接着させる。このとき、側方側パートコート印刷部１５の端部１５ａと、端部１５ｂとが重なるように熱接着させる。以上により、図１に示すように、開口側接着部２２及び側方側接着部２４が形成され、包装袋１０が完成する。なお、収容部Ｓにあられやせんべい、スナック菓子等が収容されるまでは、包装袋１０は、側方側パートコート印刷部１４同士を、熱接着させずに、側方側接着部２３を形成しない状態にする。すなわち、収容口７０を開いたままにする。この側方側接着部２３は、収容口側接着部を兼ねる構造でもある。
【００２８】
図７は、包装袋１０の使用状態を説明するための斜視図である。包装袋１０の収容部Ｓには、例えば、図７に示すように、収容口７０から、あられやせんべい、スナック菓子等の収容物６０が入れられる。そして、側方側パートコート印刷部１４同士が熱接着される。このとき、側方側パートコート印刷部１４の端部１４ａと、端部１４ｂとが重なるように熱接着される。これにより、側方側接着部２３が形成されて、収容口７０が閉じられ、収容部Ｓが密閉される。
【００２９】
次に、包装袋１０の使用方法を、図８〜図１１を参照して説明する。
【００３０】
先ず、図８に示すように、包装袋１０のユーザーは、ひれ片部４０、４１を摘んで、ひれ片部４０、４１をＹ軸方向に広げる。これにより、開口部３０が開封される。開口部３０が開封されることにより、ユーザーが、開口部３０から収容物６０を取り出すことが可能になる。
【００３１】
包装袋１０に収容物６０の一部が残った場合、図９に示すように、ユーザーは、貼付シール部５０の貼付シール部本体から離型紙を剥がす。そして、図１０に示すように、ひれ片部４０を折り畳んで、包装袋本体２０の表面２５に貼り付ける。これにより、図１１に示すように、開口部３０が、ひれ片部４０に塞がれて、包装袋１０の再封が完了する。
【００３２】
以上、説明したように、本実施形態に係る包装袋１０では、開封された開口部３０は、ひれ片部４０が折り畳まれて、貼付シール部５０が包装袋本体２０の表面２５に貼り付けられることで閉じられる。このため、ユーザーが、輪ゴム等を別途用意することなく、簡素な構造で、開口部３０を閉じることができる。また、開口部３０が、ひれ片部４０によって塞がれるため、収容物６０の一部（例えば、あられやせんべい、スナック菓子の粉など）が開口部３０近傍に残っていた場合でも、開口部３０から、収容物６０の一部がこぼれるおそれも小さい。結果として、使い勝手が良好になる。また、簡素な構造であるため、製品コストの増加も抑制できる。
【００３３】
また、本実施形態では、側方側接着部２３、２４の端部２３ａ、２４ａは、開口側接着部２２よりも、開口部３０が開口する＋Ｚ方向外側に突出している。このため、ユーザーが、誤って、開封する力を入れ過ぎた場合に、開口側接着部２２だけでなく、側方側接着部２３、２４まで開封してしまうことを防ぐことができる。すなわち、側方側接着部２３、２４の端部２３ａ、２４ａ近傍が、開口部３０の開き過ぎを防止するストッパーとして機能する。これにより、簡素な構造で、使い勝手が良好になる。
【００３４】
また、本実施形態では、開口側接着部２２は、その接着性が、側方側接着部２３、２４の接着性よりも弱くなるように形成されている。このため、簡素な構造で、開口側接着部２２だけでなく、側方側接着部２３、２４まで開封してしまうことを防ぐことができる。結果として、使い勝手が良好になる。
【００３５】
また、本実施形態では、貼付シール部５０が設けられたひれ片部４０は、ひれ片部４１よりも＋Ｚ方向に突出している。このため、ユーザーが、ひれ片部４０を折り畳んで、貼付シール部５０を包装袋本体２０の表面２５に貼り付ける際に、ひれ片部４１が貼付けの妨げとなることを防ぐことができる。これにより、簡素な構造で、開口部３０を容易に閉じることができる。結果として、使い勝手が良好になる。
【００３６】
《第２実施形態》
次に、本発明の第２実施形態に係る包装袋１０Ａについて図１２〜図１４を用いて説明する。なお、理解を容易にするために、ＸＹＺ座標を設定し、適宜参照する。なお、第１実施形態と同一又は同等の構成については、同一の符号を用いて、説明を省略する。
【００３７】
本実施形態に係る包装袋１０Ａは、図１２に示すように、三方貼りタイプの包装袋（三方袋）である（ただし、収容口側接着部２６が接着状態となったときは、四方貼りタイプの包装袋（四方袋）となる。）。包装袋１０Ａは、包装袋本体２０と、開口部３０と、一対のひれ片部４０、４１と、貼付シール部５０と、収容口７１とを有する。
【００３８】
包装袋本体２０に形成された収容部Ｓは、接着部２１に囲われることで形成されている。接着部２１は、開口側接着部２２と側方側接着部２３、２４と、収容口側接着部２６とを有する。接着部２１は、例えば、感熱性の接着剤が塗布されることで接着されるパートコートである。側方側接着部２３、２４は、包装袋本体２０の＋Ｘ側の縁及び−Ｘ側の縁に沿って形成されている。側方側接着部２３、２４の端部２３ａ、２４ａ（＋Ｙ側の端部）は、開口側接着部２２よりも、開口部３０の開口する＋Ｙ方向外側に突出している。収容口側接着部２６は、収容口７１を閉じるために設けられている。
【００３９】
開口部３０は、開封されることによって、収容部Ｓに収容された収容物を出し入れするための出入口となる。開口部３０は、包装袋本体２０の＋Ｙ側の縁近傍に形成されている。
【００４０】
ひれ片部４０、４１は、開口部３０から、＋Ｙ側に突出して形成されている。ひれ片部４０、４１は、開口部３０を開封するユーザーが摘む部分として構成される。ひれ片部４０は、ひれ片部４１よりも突出して形成されている。
【００４１】
貼付シール部５０は、ひれ片部４１を折り畳んで、包装袋本体２０に貼り付けることで、開封された開口部３０を閉じるために用いられる。貼付シール部５０は、ひれ片部４０の＋Ｙ側の端部近傍の＋Ｚ側の面に取り付けられている。貼付シール部５０は、粘着性を有する貼付シール部本体と、貼付シール部本体を覆う離型紙とを有する。
【００４２】
上述のように構成された包装袋１０Ａは、上記第１実施形態に係る包装袋１０と同様に、１枚のフィルムを折り曲げることによって形成される。なお、収容部Ｓにあられやせんべい、スナック菓子等が収容されるまでは、収容口側接着部２６は、熱接着されずに、収容口７１は、開いた状態のままにする。
【００４３】
図１３は、包装袋１０Ａの使用状態を説明するための斜視図である。包装袋１０の収容部Ｓには、例えば、図１３に示すように、収容口７１から、あられやせんべい、スナック菓子等の収容物６０が入れられる。そして、収容口側接着部２６が熱接着されることにより、収容口７１が閉じられて、収容部Ｓが密閉される。
【００４４】
次に、包装袋１０Ａの使用方法を、図１３及び図１４を参照して説明する。
【００４５】
先ず、図１３に示すように、包装袋１０のユーザーは、ひれ片部４０、４１を摘んで、ひれ片部４０、４１をＺ軸方向に広げる。これにより、開口部３０が開封される。開口部３０が開封されることにより、ユーザーが、開口部３０から収容物６０を取り出すことが可能になる。
【００４６】
包装袋１０に収容物６０の一部が残った場合、ユーザーは、貼付シール部５０の貼付シール部本体から離型紙を剥がす。そして、図１４に示すように、ひれ片部４０を折り畳んで、貼付シール部５０を、包装袋本体２０の表面２５に貼り付ける。これにより、開口部３０が、ひれ片部４０に塞がれて、包装袋１０Ａの再封が完了する。
【００４７】
本第２実施形態に係る包装袋１０Ａにおいても、前述した第１実施形態に係る包装袋１０の効果に準じた効果が得られる。
【００４８】
以上、本発明の実施形態について説明したが、本発明は上記実施形態等によって限定されるものではない。
【００４９】
例えば、第１実施形態に係る包装袋１０は、合掌袋であり、第２実施形態に係る包装袋１０Ａは、三方袋（又は四方袋）である。しかしながら、これに限らない。例えば、ガゼットタイプの袋であってもよい。
【００５０】
また、上記実施形態に係る包装袋１０の包装袋本体２０及びひれ片部４０、４１は、ＯＰＰからなる。そして、接着部２１は、パートコートである。接着部２１が、パートコートであるのは、ＯＰＰフィルム同士が、熱のみでは接着しないためである。しかしながら、これに限らず、接着部２１は、パートコート以外のものであってもよい。また、包装袋本体２０及びひれ片部４０、４１は、ＯＰＰ以外の別の素材からなっていてもよい。
【００５１】
また、包装袋１０、１０Ａの開封方法及び再封方法を記した注意書きラベルを、印刷して、包装袋本体２０に貼り付けるようにしてもよい。または、注意書きラベルを、包装袋本体２０に直接、印刷してもよい。これによっても、使い勝手が良好な包装袋１０を得ることができる。
【００５２】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００５３】
１０、１０Ａ  包装袋
１１  フィルム
１１Ａ  第１部分
１１Ｂ  第２部分
１１Ｃ  第３部分
１１Ｄ  第４部分
１１Ｅ  第５部分
１２、１３  開口側パートコート印刷部
１４、１５  側方側パートコート印刷部
１４ａ、１４ｂ、１５ａ、１５ｂ  端部
２０  包装袋本体
２１  接着部
２２  開口側接着部
２３  側方側接着部（第１実施形態においては、収容口側接着部を兼ねる。）
２３ａ、２４ａ  端部
２３ｂ、２４ｂ  第１部分
２３ｃ、２４ｃ  第２部分
２３ｄ、２４ｄ  第３部分
２４  側方側接着部
２５  表面
２６  収容口側接着部
３０  開口部
４０、４１  ひれ片部
５０  貼付シール部
６０  収容物
７０、７１  収容口
Ａ１、Ａ２、Ａ３、Ａ４  折り曲げ線
Ｓ  収容部
【図１】
2014205498.tif 000003
【図２】
2014205498.tif 000004
【図３】
2014205498.tif 000005
【図４】
2014205498.tif 000006
【図５】
2014205498.tif 000007
【図６】
2014205498.tif 000008
【図７】
2014205498.tif 000009
【図８】
2014205498.tif 000010
【図９】
2014205498.tif 000011
【図１０】
2014205498.tif 000012
【図１１】
2014205498.tif 000013
【図１２】
2014205498.tif 000014
【図１３】
2014205498.tif 000015
【図１４】
2014205498.tif 000016